(57)【要約】【課題】手持ちのパソコン、インクジェット方式のプリンター等を利用して、必要なデザインで必要な枚数だけ手軽で美感に優れ、コンパクトで強度があるラミネートカードを作成することができるラミネートカードセットを提供する。【解決手段】略同形の第１ラミネートフィルムと第２ラミネートフィルムと印刷フィルムとからなるラミネートカードセットであって、第１ラミネートシートと第２ラミネートシートで、印刷した印刷フィルムを挟持したうえで熱融着し、３つを一体化し強度の確保と耳なし構成とし、ラミネートカードの隅部まで印刷可能としたことにより美感に優れたラミネートカードである。【選択図】図１
0003118195.tif 000002
【実用新案登録請求の範囲】
【請求項１】
対のラミネートシートと、無地又は印刷済のラミネートカード基材であって、該ラミネートシートと該ラミネートカード基材を収容袋に複数枚収容してなるラミネートカードセットで、
前記対のラミネートシートには、裏面に糊層があり、
前記ラミネートカード基材の印刷フィルムは、台紙より余剰カードを残して剥離可能とし、
対のラミネートシートと印刷フィルムを熱融着し一体化するとともに、強度の確保、耳なし構成としたことを特徴とするラミネートカードセット。
【請求項２】
請求項１に記載のラミネートカード基材の印刷フィルム部から余剰カードを跨いで印刷することを特徴とするラミネートカードセット。
【請求項３】
請求項１又は請求項２に記載の対のラミネートカードシートとラミネートカード基材を収容する収容袋であって、
袋体の上部には係止孔を設け、
袋体の一辺が開閉自在としたことを特徴としたラミネートカードセット収容袋。
【考案の詳細な説明】
【技術分野】
【０００１】
本考案は、ラミネートカード作成セットに関する。さらに詳しくは、家庭や会社等で手軽に必要な書体、デザインでラミネートカードを作成することができため、即時発行性に優れ、また、必要な枚数のみ作成することができ、ラミネートカードを少数作成するに際して最適で、美感に優れ、強度が高いラミネートカード作成セットに関する。
【背景技術】
【０００２】
一般的に、社員証や会員証等の顔写真入りラミネートカードを製作する場合、例えば、厚みのある台紙に印刷業者が文字や図形等を印刷し、印刷等した台紙にエンドユーザーが写真等を貼付したうえで、市販等のラミネーターに通し、ラミネート加工してラミネートカードを完成させていた。
【０００３】
確かに、このように印刷業者が台紙に文字等を印刷し、写真等を貼付すると、印刷業者は専門業者であるため、ラミネートカードの完成度は高い。
【０００４】
しかし、印刷業者を介してラミネートカードを製作すると、ラミネートカードを製作するに際してコストが嵩み、また、手間もかかる。即ち、印刷業者が印刷する場合、一定量のラミネートカードを製作しなければコスト高となり、例えば、家族経営のような少人数の社員を有する会社の社員証を製作する場合に問題が残る。また、印刷業者に依頼せず、家庭において家庭用のプリンターを使用して、厚紙に印刷することも考えられるが、家庭用のプリンターによっては厚紙に印刷することが困難な場合がある。また、印刷業者に印刷を依頼する場合、個人情報が流出しないとは限らないため、昨今、声高に叫ばれている個人情報保護の見地からしても不安が残る。
【０００５】
また、近年急速に技術の進歩、発展をなした印刷方法として昇華転写方式があるが、この昇華転写方式を利用してカードを作成する場合もある。該昇華転写方式は、プラ板に熱転写して印刷するものである。確かに、この昇華転写方式で印刷を行うと、手軽に希望枚数のカードを作成できるため、無駄なカード作成を抑制することができ、また、カードの即時発行性に優れているという面がある。
【０００６】
しかし、昇華転写方式による印刷では、カードの縁の部分の印刷が困難となり、縁の部分に空白部分ができてしまい、見栄えが悪くなってしまう。また、昇華転写方式は印刷精度の面で問題が残る。
【０００７】
さらに、昇華転写方式の昇華転写プリンターは、未だ普及価格とまではいえず、高額な商品であるため、家族経営のような少人数の社員を有する会社の社員証を作成する場合は、コストの面で問題が残る。即ち、カードを一定量以上作成しなければ、採算が合わず、昇華転写プリンターの値段を考慮すると、問題が残る。
【０００８】
さらに従来は、ラミネートカードを製作する場合、印刷等を行うカード基材の外周縁を超えて樹脂製のフィルムの外周縁が食み出てしまう、いわゆる「耳」の部分ができてしまうことにより、ラミネートカード自体の見栄えが悪くなり、また、ラミネートカードのサイズが大きくなってしまい、財布やカードケースに入りにくい場合もあった。また、顔写真入りのラミネートカードを製作する場合、写真を台紙に貼付する必要があったが、このような構成とするとラミネートした際に写真の部分が盛り上がり、見栄えが悪く、また、写真の現像や所定のサイズに切断する必要がある等の手間がかかっていた。
【０００９】
この点を改良するものとして特開２００１−７５４７８がある。この特開２００１−７５４７８は「カードおよびその製造システム並びにその製造方法」で、その内容は、宝石や指輪、貴金属品等宝飾品の鑑定ないし証明結果を印字してなるカードベースと、該カードベースをラミネートするフィルムで、該フィルムがカードベースの外周縁から外側へ食み出す耳を有さず、デジタルカメラ等により撮影した画像をカードベースにプリントするものであることを特徴とするものである。
【００１０】
確かに、この特開２００１−７５４７８の「カードおよびその製造システム並びにその製造方法」にあっては、カードベースの各辺の外周縁から外側に食み出すフィルムの耳は、裁断装置を経ることにより切断されるため、カードとしての美観の向上を図ることができる。また、カードベースにプリントするものであるため、写真作成の際の工程数が減少し、また、カードベースにプリントするため、写真部が盛り上がることはない。
【００１１】
しかし、本発明で用いられるカードベースは、裁断装置によって一枚の印画紙から予めカードベース大に打ち抜かれ、カードベースの表裏両面にラミネートフィルムが熱圧着されてラミネートされると、ラミネートフィルムの外周縁より外側へ食み出す耳が、各辺毎に形成されてしまうため、再び裁断装置によりカードベース大に打ち抜いて各耳を切断するものであり、カードベースの表裏両面にラミネートフィルムを熱圧着した後に裁断工程を経る必要があるため、工程が複雑化し、それに伴い手間がかかるという問題が生じる。
【００１２】
【特許文献１】特開２００１−７５４７８
【考案の開示】
【考案が解決しようとする課題】
【００１３】
本考案は上記事情に鑑み、社員証や会員証等の顔写真入りのラミネートカードを作成するラミネートカードセットであって、家庭用のパソコンにおいて自由にカードの文字や図柄をデザインしたうえで、家庭用プリンターで文字や顔写真等を印刷フィルムに直接印刷でき、印刷業者に依頼することなく、手軽にラミネートカードを作成することができ、また、対のラミネートフィルムと印刷フィルムの形状を略同形とし、対のラミネートフィルムの外周縁が印刷フィルムの外周縁から食み出さないため、美感に優れ、さらに、必要な枚数だけ作成できるため、無駄なくカード作成をすることができ、また、強度の確保と品質の向上を図るラミネートカードセットを提供するものである。
【課題を解決するための手段】
【００１４】
第一考案のラミネートカードセットは、対のラミネートシートと、無地又は印刷済のラミネートカード基材であって、該ラミネートシートと該ラミネートカード基材を収容袋に複数枚収容してなるラミネートカードセットで、前記対のラミネートシートには、裏面に糊層があり、前記ラミネートカード基材の印刷フィルムは、台紙より余剰カードを残して剥離可能とし、対のラミネートシートと印刷フィルムを熱融着し一体化するとともに、強度の確保、耳なし構成としたラミネートカードセットであることを特徴とする。
【００１５】
第二考案のラミネートカードセットは、請求項１に記載のラミネートカード基材の印刷フィルムから余剰カードを跨いで印刷するラミネートカードセットであることを特徴とする。
【００１６】
第三考案のラミネートカードセットは、請求項１又は請求項２に記載の対のラミネートカードシートとラミネートカード基材を収容する収容袋であって、袋体の上部には係止孔を設け、袋体の一辺が開閉自在としたラミネートカードセット収容袋であることを特徴とする。
【考案の効果】
【００１７】
第一考案によれば、ラミネートカード基材の印刷フィルムには手持ちのインクジェットプリンターで印刷でき、印刷フィルムに印刷するためだけに専用のカードプリンターを購入する必要がないため、無駄な出費を抑えることができる。
【００１８】
また、印刷フィルムの外周縁と対のラミネートシートの外周縁は略同形であって、印刷フィルムを対のラミネートシートで挟持したうえで熱融着するため、印刷フィルムの外周縁からラミネートシートの外周縁が食み出ず、いわゆる耳を有しないため美感に優れており、また、ラミネートカード自体がコンパクトになる。
【００１９】
さらに、上述のように印刷フィルムを対のラミネートシートで挟持したうえで熱融着され、印刷フィルムと対のラミネートシートが一体化されるため、ラミネートカード自体の強度の確保と品質の向上を図ることができる。
【００２０】
家庭用のパソコンに氏名や写真等のデータを取り込んで、家庭用のインクジェットプリンターで印刷できるため、カードのデザインを作成するに際して自由度が大きく、適宜デザインを変更することも容易にできるため便利である。
【００２１】
印刷フィルムにデジタルカメラ等で撮影した顔写真を直接印刷することができるため、印刷フィルムに顔写真を貼付する場合に比べて、ラミネートカードを薄く、見栄えよくすることができる。
【００２２】
カードをデザインしたその場で印刷できるため、印刷業者に依頼する場合と異なり納期を待つ必要がなく、短時間で製作できる。
【００２３】
対のラミネートカードで印刷フィルムを挟持して、三つを一体として熱融着するため、片面を交互に熱融着する場合と異なり、対のラミネートカードと印刷フィルムがズレたり斜めになったりすることがなく、美感に優れている。
【００２４】
本考案は低コストで必要な枚数のラミネートカードを製作することができるラミネートカードセットであるため、ラミネートカードを大量には必要とせず、少数発行を希望する者にとっては特に有用である。
【００２５】
そして印刷業者に印刷を依頼する場合、顔写真や個人情報を印刷業者に渡す際に個人情報が流出する虞があるが、家庭内において印刷する場合は、このような虞は皆無である。
【００２６】
第二考案によれば、ラミネートカード基材の印刷フィルムと余剰カードは同質の素材である。従って、ラミネートカード基材の印刷フィルムから余剰カードを跨いで印刷することができ、印刷フィルムの隅部まで印刷できるため、印刷フィルムの隅部において空白部ができず、見栄えがよく美的感覚に優れている。
【００２７】
第三考案によれば、請求項１又は請求項２に記載のラミネートカードセットを収容する収容袋であるため、該ラミネートカードセットの収容物である処の、対のラミネートカードとラミネートカード基材を一纏めで販売することができるため、必要な数だけ購入することができ、便利である。
【考案を実施するための最良の形態】
【００２８】
つぎに、本考案の実施形態に係るラミネートカードセットを図面に基づいて説明する。
【００２９】
図１は、本考案のラミネートカードセットの一部欠截した斜視図である。図２は、ラミネートカードセットの収容物の斜視図である。図３は、ラミネートカード基材の正面図である。図４は、ラミネートカード基材の印刷フィルム等に印刷するデザインをパソコンに入力し、その入力情報がパソコンのモニター画面に表示されているパソコンモニターの正面図である。図５は、ラミネートカード基材上に印刷された状態を表した正面図である。図６は、印刷したラミネートカード基材から印刷フィルムを剥離した印刷フィルムの平面図である。図７−１は、対のラミネートシートで印刷フィルムを一体化する前段階を表した斜視図である。図７−２は、対のラミネートシートで印刷フィルムを一体化した状態の断面図である。図７−３は、対のラミネートシートで印刷フィルムを挟持し、ラミネート加工した状態を表した斜視図である。図８は、本考案であるラミネートカードの完成斜視図である。
【００３０】
本考案であるラミネートカードセット４は、図１のように収容袋５に収容されており、収容袋５の収容物は大別すると、対のラミネートシートである第１ラミネートシート１と第２ラミネートシート２とラミネートカード基材３からなる。そして、第１ラミネートシート１と第２ラミネートシート２とラミネートカード基材３を１セットとして１枚のラミネートカードを製作するものである。
【００３１】
本図では、ラミネートカードセット４は、それぞれ独立した第１ラミネートシート１、第２ラミネートシート２、ラミネートカード基材３が収納袋５に複数枚収容されている。しかし、１枚のラミネートシートに複数枚の第１ラミネートシート１や第２ラミネートシート２を取り外し容易に固定した構成とすることもできる。この場合、ラミネートカードを作成する度に、第１ラミネートシート１や第２ラミネートシート２を取り外すこととなる。さらに、第１ラミネートシート１と第２ラミネートシート２とラミネートカード基材３を１セットだけ収納袋に収容する場合もある。
【００３２】
第３考案である収容袋５の大きさは、中に収容される第１ラミネートシート１、第２ラミネートシート２、ラミネートカード基材３の枚数により異なる。従って、１枚のラミネートカードに複数枚の第１ラミネートカード１や第２ラミネートカード２を取り外し容易に固定した構成の場合は、ラミネートカードを収容することができる程度の大きさとなることは勿論である。
【００３３】
第３考案の収容袋５の大きさは上述のとおり、収容される第１ラミネートシート１、第２ラミネートシート２、ラミネートカード基材３の枚数により異なるが、具体例として第１ラミネートシート１、第２ラミネートシート２、ラミネートカード基材３が１０セット収納される場合、次のような大きさのものが考えられる。４０ｃｍ×１１ｃｍの長方形の透明又は半透明のフィルムを裏面シート５ｂとなる一片を１８ｃｍとし、表面シート５ａとなる他の一片を２２ｃｍとなるように二つ折りにし、裏面シート５ｂよりも４ｃｍ長い表面シート５ａの部分を開閉可能な開閉部５ｃとし、開閉部５ｃをさらに裏面シート５ｂ側に折り曲げる。そして、この開閉部５ｃの一部に粘着シートを設け、開閉部５ｃの粘着シートと裏面シート５ｂの当接する部分も粘着シートを設ける。そして、この開閉部５ｃの粘着シートと表面シートの粘着シートが当接することにより簡単に開閉可能となる。このように、収容袋５の下部５ｅには、第１ラミネートシート１と第２ラミネートシート２とラミネートカード基材３を出し入れするための開閉可能な開閉部が設けられているが、出し入れできれば収容袋５の上部５ｅに限定されず、収容袋５のどの位置に備わっていてもよい。
【００３４】
収容袋５の上部５ｅには、本考案である収容袋５に収容したラミネートカードセット４を陳列するための係止孔５ｄを設けており、係止孔５ｄに商品陳列用の棒を通すことによって、本考案であるラミネートカードセット４を大量に陳列させることができる。
【００３５】
本図において収容袋５に収容されているラミネートカード基材３は、何等の印刷も施されていない無地のものであるが、固定データ（予め決定されている文言等）８を予め印刷して収容袋５に収容することもできる。このように他のラミネートカード所有者にも流用できる文言（例えば、「身分証明書」等の文言）である固定データ８を予めラミネートカード基材３に印刷してあれば、本考案であるラミネートカードセット４の作成者がラミネートカードを作成するに際して、ラミネートカード基材３の印刷フィルム３ｂのデザインを作成する箇所が減ることによりラミネートカード作成の負担が軽減される。そして、作成者はラミネートカード基材３の印刷フィルム３ｂの固定データ８が印刷されている部分以外の部分に可変データ（予め決定された文言等ではなく、各人毎に変更せざるを得ないデータ。例えば、カード保持者の名前等）９を印刷することにより印刷フィルム３ｂが完成する。
【００３６】
また、対のラミネートシートである第１ラミネートシート１及び／又は第２ラミネートシート２においても固定データ８を既に印刷した状態とすることもできる。例えば、カード所有者への注意事項（「このカードは常に携帯して下さい。」等）は、他のラミネートカード所有者へ流用できる文言であるため、ラミネートカード作成に際して便利である。
【００３７】
図２は、ラミネートカードセット４の収容物の斜視図である。上段は第１ラミネートシート１であり、中段はラミネートカード基材３であり、下段は第２ラミネートシート２である。
【００３８】
本図では、中段のラミネートカード基材３には固定データ８は印刷されていないが、上述のようにラミネートカード基材３に予め固定データ８を印刷したものを収容することもできる。また、対のラミネートカードである第１ラミネートシート１及び／又は第２ラミネートシート２においても固定データ８を印刷されていないが、上述のように第１ラミネートシート１及び／又は第２ラミネートシート２においても、予め固定データ８を印刷したものを収容することもできる。
【００３９】
第１ラミネートシート１と第２ラミネートシート２の素材は、ポリエステル等の種々のものが考えられる。ラミネートカード所有者が退職等によりラミネートカードが不要となった場合の処分方法としては、家庭ゴミとして処分する方法がある。しかし、家庭ゴミとして処分するとラミネートカードの個人情報が流出してしまう虞があり、昨今の個人情報保護の見地からすると妥当でない。従って、不要となったラミネートカードは焼却処分することが妥当である。その際、本考案であるラミネートカードの素材をポリエステルとすると、焼却時にダイオキシン等の塩素系化合物の発生がなく、環境保護の見地から望ましい。
【００４０】
図３は、図２中の中段のラミネートカード基材３の平面図である。ラミネートカード基材３は、裏面の台紙３ｅと表面の印刷フィルム３ｂ、余剰カード３ｄとから構成されている。台紙３ｅの一面は粘着面であり、その他面は紙面である。台紙３ｅの粘着面側に余剰カード３ｄと台紙３ｅより剥離可能で剥離線３ａで囲繞されている印刷用の印刷フィルム３ｂが貼着されている。そして、印刷フィルムは、ラミネートカード基材の余剰カードを残して容易に剥離することができる。
【００４１】
本図でも印刷フィルム３ｂ、余剰カード３ｄは、何等の印刷も施されていないが、予め固定データ８を印刷したものを収容することも可能である。
【００４２】
図４は、ラミネートカード基材３の印刷フィルム３ｂや余剰カード３ｄに印刷するデザインをパソコンに入力し、その入力情報がパソコンモニター６に表示されているパソコンモニターの正面図である。このように本考案は、顔写真や氏名等の個人データをパソコン等に取り込んでラミネートカードを作成するものであり、手軽にラミネートカードをデザインすることができる。また、手軽に必要な枚数のラミネートカードを製作するものであるため、ラミネートカードの少数発行を希望する者には無駄なカード作成を抑えることができるため有用である。また、デジタルカメラで撮影した顔写真のデータや氏名等のデータを直接パソコンに取り込んで印刷することができるため、印刷業者へデータを持ち込む必要がないため、個人情報が流出する虞が皆無である。
【００４３】
固定データ８は、予め印刷フィルム３ｂに印刷されている場合の他、インターネット等の通信手段を利用して、特定のサイトやホームページにアクセスし、該サイトやホームページから固定データを、ダウンロードすることも可能である。
【００４４】
図５は、ラミネートカード基材３上にデータが印刷された状態を表した正面図である。本図は、顧客が希望のデータをパソコン等に取り込んだ後、印刷したものである。上述のように、本考案であるラミネートカード基材３上へのデータの印刷は、家庭用のインクジェット方式のプリンターで行うことができるため、ラミネートカードを印刷するためだけに新たに高額なプリンター（例えば、昇華転写方式のプリンター等）を購入する必要がなく、無駄な出費を抑えることができる。
【００４５】
ラミネートカード基材３の印刷フィルム３ｂの剥離線３ａを超えた範囲に余剰カード３ｄがあるが、ラミネートカード基材３の印刷フィルム３ｂと余剰カード３ｄの素材は同様のものであり、印刷フィルム３ｂから余剰カード３ｄを跨いで印刷することができるため、当然に印刷フィルム３ｂの隅部３ｃも印刷することができる。従って、印刷フィルム３ｂの隅部３ｃに空白部がなくなるため、美感に優れた構成となる。
【００４６】
図６は、印刷したラミネートカード基材３から印刷フィルム３ｂを剥離した印刷フィルム３ｂの正面図である。このように印刷フィルム３ｂの隅部３ｃまで印刷することができ、印刷後は台紙３ｅから簡単に剥離させることができる。
【００４７】
図７−１は、対のラミネートシートで印刷フィルム３ｂを一体化する前段階を表した斜視図である。
【００４８】
上段は第１ラミネートシート１であり、中段は印刷済の印刷フィルム３ｂであり、下段は第２ラミネートシート２である。第１ラミネートシート１の印刷フィルム３ｂと接合する一面を糊層１ｃとし、第２ラミネートシート２の印刷フィルム３ｂと接合する一面も糊層２ｃとする。そして第１ラミネートシート１と印刷フィルム３ｂと第２ラミネートシート２を一体として熱を加えることにより第１ラミネートシート１の糊層１ｃの糊と第２ラミネートシート２の糊層２ｃの糊が溶け、第１ラミネートシート１と印刷フィルム３ｂと第２ラミネートシート２の三つが熱融着される。
【００４９】
図示した第１ラミネートシート１と印刷フィルム３ｂと第２ラミネートシート２の外周縁１１は略同形であるため、印刷フィルム３ｂの外周縁１１から対のラミネートシートの外周縁１１が食み出ず、いわゆる耳を有しない。従って、ラミネートカード全体のシルエットがすっきりと纏まる。
【００５０】
なお、第１ラミネートシート１と第２ラミネートシート２は、糊層１ｃ、２ｃを有しているため、半透明状となっているが、熱融着する際に熱を加えることにより半透明状から略透明状となるため、印刷された印刷フィルム３ｂが視覚的に妨げられることはない。
【００５１】
図７−２は、対のラミネートシートで印刷フィルム３ｂを一体化した状態の断面図である。印刷フィルム３ｂは対のラミネートシートに挟持されている。即ち、第１ラミネートシート１と第２ラミネートシート２の間に印刷済の印刷フィルム３ｂを設け、３つを一体として熱融着されている。
【００５２】
図７−３は、対のラミネートシートで印刷フィルム３ｂを挟持し、ラミネーター１０に通す状態を表した斜視図である。なお、本図のラミネーター１０を使用する工程が本考案であるラミネートカードを作成する際の最終工程である。まず対のラミネートシートで印刷フィルムを挟持し、３つがずれないようにクリップ等（図示せず）で固定し、そのうえでラミネーターに通す。このように市販のラミネーター１０を使用し、クリップ等で固定した第１ラミネートシート１と印刷フィルム３ｂと第２ラミネートシート２をラミネーター１０に通すと、第１ラミネートシート１と印刷フィルム３ｂと第２ラミネートシート２の三つが熱融着され、ラミネート加工される。なお、第１ラミネートシート１と印刷フィルム３ｂと第２ラミネートシート２を固定していたクリップ等は、ラミネーターに通すと、自動的に外れる。
【００５３】
図８は、本考案であるラミネートカードの完成斜視図である。
【００５４】
このように本考案は、簡易かつ迅速にラミネートカードを作成することができる。また、必要な枚数だけ作成できるため、ラミネートカードを無駄なく作成することができる。そして、第１ラミネートシート１と印刷フィルム３ｂと第２ラミネートシート２の三つが熱融着され一体化されると強度が確保され、また、キズが付くことを予防できる。
【図面の簡単な説明】
【００５５】
【図１】図１は、本考案のラミネートカードセットの一部欠截した斜視図である。
【図２】ラミネートカードセットの収容物の斜視図である。
【図３】ラミネートカード基材の正面図である。
【図４】ラミネートカード基材に印刷するデザインをパソコンに入力し、その入力情報がパソコンのモニター画面に表示されているパソコンモニターの正面図である。
【図５】ラミネートカード基材上に印刷された状態を表した正面図である。
【図６】印刷したラミネートカード基材から印刷フィルムを剥離した印刷フィルムの正面図である。
【図７−１】対のラミネートシートで印刷フィルムを一体化する前段階を表した斜視図である。
【図７−２】対のラミネートシートで印刷フィルムを一体化した状態の断面図である。
【図７−３】対のラミネートシートで印刷フィルムを挟持し、ラミネート加工した状態を表した斜視図である。
【図８】本考案であるラミネートカードの完成斜視図である。
【符号の説明】
【００５６】
１            第１ラミネートシート
１ａ          表面
１ｂ          裏面
１ｃ          糊層
２            第２ラミネートシート
２ａ          表面
２ｂ          裏面
２ｃ          糊層
３            ラミネートカード基材
３ａ          剥離線
３ｂ          印刷フィルム
３ｃ          隅部
３ｄ          余剰カード
３ｅ          台紙
４            ラミネートカードセット
５            収容袋
５ａ          表面シート
５ｂ          裏面シート
５ｃ          開閉部
５ｄ          係止孔
５ｅ          上部
５ｆ          下部
６            パソコンモニター
７            入力データ
８            固定データ
９            可変データ
１０          ラミネーター
１１          外周縁
【図１】
0003118195.tif 000003
【図２】
0003118195.tif 000004
【図３】
0003118195.tif 000005
【図４】
0003118195.tif 000006
【図５】
0003118195.tif 000007
【図６】
0003118195.tif 000008
【図７−１】
0003118195.tif 000009
【図７−２】
0003118195.tif 000010
【図７−３】
0003118195.tif 000011
【図８】
0003118195.tif 000012